(57)【要約】【課題】少ない部品交換で複数の種類の鏡筒を構成し得る鏡筒システムを提供する。【解決手段】鏡筒システムは、接眼レンズ保持部１９０を保持し得る鏡筒基部１１０と、鏡筒基部１１０に着脱可能な第一の鏡筒上部１３０と、鏡筒基部１１０に着脱可能な第二の鏡筒上部１５０とから構成されている。鏡筒基部１１０は、第一の鏡筒上部１３０と組み合わされて双眼鏡筒を構成し、また、第二の鏡筒上部１５０と組み合わされて三眼鏡筒を構成する。第一の鏡筒上部１３０は、鏡筒基部１１０が取り付けられる顕微鏡本体からの光束を、常時、鏡筒基部１１０の反射ミラー１２０に向けて偏向する反射ミラー１４０を有している。第二の鏡筒上部１５０は、中間鏡筒からの光束を、必要に応じて、反射ミラー１２０に向けて偏向する反射ミラー１６０を含む光路切替機構を有している。【選択図】    図１
2005010365.tif 000002
【特許請求の範囲】
【請求項１】
顕微鏡本体に取り付けられる顕微鏡鏡筒であり、
接眼レンズを保持し得る鏡筒基部と、
鏡筒基部に着脱可能な鏡筒上部とから構成され、
鏡筒上部は、複数種類の鏡筒上部の中から選ばれることを特徴とする、顕微鏡鏡筒。
【請求項２】
請求項１において、複数種類の鏡筒上部は、顕微鏡本体からの光束を、常時、鏡筒基部に向けて偏向する偏向素子を含む第一の鏡筒上部と、顕微鏡本体からの光束を、必要に応じて、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする、顕微鏡鏡筒。
【請求項３】
請求項１において、複数種類の鏡筒上部は、顕微鏡本体からの光束を、常時、鏡筒基部に向けて偏向する偏向素子を含む第一の鏡筒上部と、顕微鏡本体からの光束を、部分的に、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする、顕微鏡鏡筒。
【請求項４】
請求項２または請求項３において、第一の鏡筒上部は、鏡筒基部と組み合わされて双眼鏡筒を構成し、第二の鏡筒上部は、光束の通過を許す開口を有しており、鏡筒基部と組み合わされて三眼鏡筒を構成し得ることを特徴とする、顕微鏡鏡筒。
【請求項５】
用途に適した鏡筒を適宜構成し得る鏡筒システムであり、
接眼レンズを保持し得る鏡筒基部と、
鏡筒基部に着脱可能な複数種類の鏡筒上部とから構成されていることを特徴とする、鏡筒システム。
【請求項６】
請求項５において、複数種類の鏡筒上部は、顕微鏡本体からの光束を、常時、鏡筒基部に向けて偏向する偏向素子を含む第一の鏡筒上部と、顕微鏡本体からの光束を、必要に応じて、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする、鏡筒システム。
【請求項７】
請求項５において、複数種類の鏡筒上部は、顕微鏡本体からの光束を、常時、鏡筒基部に向けて偏向する偏向素子を含む第一の鏡筒上部と、顕微鏡本体からの光束を、部分的に、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする、鏡筒システム。
【請求項８】
請求項６または請求項７において、第一の鏡筒上部は、鏡筒基部と組み合わされて双眼鏡筒を構成し、第二の鏡筒上部は、光束の通過を許す開口を有しており、鏡筒基部と組み合わされて三眼鏡筒を構成し得ることを特徴とする、鏡筒システム。
【発明の詳細な説明】
【０００１】
【発明の属する技術分野】
本発明は、顕微鏡鏡筒に関するものである。
【０００２】
【従来の技術】
一般に顕微鏡鏡筒は、観察者が標本を観察するだけの機能を有している鏡筒と、それに追加してカメラ等の撮像装置を使用できる機能を有している鏡筒とが存在している。観察者が両目で覗くだけの鏡筒は双眼鏡筒と呼ばれ、カメラなどの撮像装置を付けられる鏡筒は三眼鏡筒と呼ばれている。
【０００３】
観察者は、使用目的に合わせて、双眼鏡筒か三眼鏡筒のいずれかを選択している。
【０００４】
鏡筒は、観察者が椅子に座って楽な姿勢で観察できるように、接眼レンズから出てくる観察光束の角度を３０度や４５度などに折り曲げている。その折り曲げる手段としては、例えば特願平１１−３００４２２公報に開示されているように、ミラーを利用することがよく知られている。ミラーに代えてプリズムを利用することも公知である。
【０００５】
三眼鏡筒は、観察者側と撮像装置側とで光束を切り替えられるように、プリズムやミラーをそれぞれの光路に対して挿脱できるようになっている。挿脱の方法は水平移動させたり、例えば実願平４−８１７９０公報に開示されているように、ターレットにて回転させたりするものが知られている。
【０００６】
【特許文献１】
特願平１１−３００４２２公報
【０００７】
【特許文献２】
実願平４−８１７９０公報
【０００８】
【発明が解決しようとする課題】
従来、鏡筒は、双眼鏡筒、三眼鏡筒ともに全く別の鏡筒になっており、使用者は双眼鏡筒にするか、三眼鏡筒にするかの選択を購入時に決断しなければならない。ただ、三眼鏡筒は双眼鏡筒の機能を包括しているため、どちらにするか決断に迷う場合は、どちらでも対応できる三眼鏡筒を購入しておけば良い。
【０００９】
しかし、三眼鏡筒は、双眼鏡筒と比較して、光路が多い分、構造がより複雑であり、価格も高い。決断に迷った末に三眼鏡筒を購入したが、実際は双眼鏡筒で十分に事足りている場合、使用者は、撮像装置用の光路という不要な構造の価格を負担したことになる。
【００１０】
また、最初に双眼鏡筒を購入した後に必要に迫られて三眼鏡筒を購入した場合は、双眼鏡筒は丸ごと不要となってしまう。この場合、使用者は、三眼鏡筒を購入した時点で不要となった双眼鏡筒の価格分を結果的に負担したことになる。
【００１１】
本発明は、この様な実状を考慮して成されたものであり、その目的は、少ない部品交換で複数の種類の鏡筒を構成し得る鏡筒システムを提供することである。
【００１２】
【課題を解決するための手段】
本発明は、ひとつには、顕微鏡本体に取り付けられる顕微鏡鏡筒に向けられており、以下の各項に列記する顕微鏡鏡筒を含んでいる。
【００１３】
１．  本発明の顕微鏡鏡筒は、接眼レンズを保持し得る鏡筒基部と、鏡筒基部に着脱可能な鏡筒上部とから構成され、鏡筒上部は、複数種類の鏡筒上部の中から選ばれることを特徴とする。
【００１４】
この顕微鏡鏡筒においては、鏡筒基部は、選択された鏡筒上部と組み合わされ、その種類に対応した種類の鏡筒を構成する。
【００１５】
２．  本発明の別の顕微鏡鏡筒は、第１項の顕微鏡鏡筒において、複数種類の鏡筒上部は、顕微鏡本体からの光束を、常時、鏡筒基部に向けて偏向する偏向素子を含む第一の鏡筒上部と、顕微鏡本体からの光束を、必要に応じて、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする。
【００１６】
３．  本発明の別の顕微鏡鏡筒は、第１項の顕微鏡鏡筒において、複数種類の鏡筒上部は、顕微鏡本体からの光束を、常時、鏡筒基部に向けて偏向する偏向素子を含む第一の鏡筒上部と、顕微鏡本体からの光束を、部分的に、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする。
【００１７】
４．  本発明の別の顕微鏡鏡筒は、第２項または第３項の顕微鏡鏡筒において、第一の鏡筒上部は、鏡筒基部と組み合わされて双眼鏡筒を構成し、第二の鏡筒上部は、光束の通過を許す開口を有しており、鏡筒基部と組み合わされて三眼鏡筒を構成し得ることを特徴とする。
【００１８】
本発明は、ひとつには、用途に適した鏡筒を適宜構成し得る鏡筒システムに向けられており、以下の各項に列記する鏡筒システムを含んでいる。
【００１９】
５．  本発明の鏡筒システムは、接眼レンズを保持し得る鏡筒基部と、鏡筒基部に着脱可能な複数種類の鏡筒上部とから構成され、複数種類の鏡筒上部は、顕微鏡本体からの光束を、常時、鏡筒基部に向けて偏向する偏向素子を含む第一の鏡筒上部と、顕微鏡本体からの光束を、必要に応じて、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする。
【００２０】
この鏡筒システムにおいては、鏡筒基部と組み合わされる鏡筒上部の種類を変えることにより、鏡筒を、鏡筒上部の種類に対応した種類のものに容易に変更することが可能である。
【００２１】
６．  本発明の別の鏡筒システムは、第５項の鏡筒システムにおいて、複数種類の鏡筒上部は、顕微鏡本体からの光束を、常時、鏡筒基部に向けて偏向する偏向素子を含む第一の鏡筒上部と、顕微鏡本体からの光束を、必要に応じて、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする。
【００２２】
７．  本発明の別の鏡筒システムは、第５項の鏡筒システムにおいて、複数種類の鏡筒上部は、顕微鏡本体からの光束を、常時、鏡筒基部に向けて偏向する偏向素子を含む第一の鏡筒上部と、顕微鏡本体からの光束を、部分的に、鏡筒基部に向けて偏向する偏向素子を含む第二の鏡筒上部とを含んでおり、鏡筒基部は、鏡筒上部内の偏向素子からの光束を接眼レンズに導く光学系を含んでいることを特徴とする。
【００２３】
８．  本発明の別の鏡筒システムは、第６項または第７項の鏡筒システムにおいて、第一の鏡筒上部は、鏡筒基部と組み合わされて双眼鏡筒を構成し、第二の鏡筒上部は、光束の通過を許す開口を有しており、鏡筒基部と組み合わされて三眼鏡筒を構成し得ることを特徴とする。
【００２４】
【発明の実施の形態】
以下、図面を参照しながら本発明の実施の形態について説明する。
【００２５】
第一実施形態
本実施形態は、少ない部品交換で複数の種類の鏡筒を構成し得る鏡筒システムに向けられている。図１は、本発明の第一実施形態の鏡筒システムの構成を示している。図２は、図１に示される鏡筒システムに従う双眼鏡筒の外観図である。図３は、図２に示される双眼鏡筒を右方から見た外観図である。図４は、図２に示される双眼鏡筒の縦断面図である。図５は、図１に示される鏡筒システムに従う三眼鏡筒の外観図である。図６は、図５に示される三眼鏡筒を右方から見た外観図である。図７は、図５に示される三眼鏡筒の縦断面図である。
【００２６】
本実施形態の鏡筒システムは、図１に示されるように、図示しない接眼レンズを保持する接眼レンズ保持部１９０と、この接眼レンズ保持部１９０を保持し得る鏡筒基部１１０と、鏡筒基部１１０に着脱可能な第一の鏡筒上部１３０と、鏡筒基部１１０に着脱可能な第二の鏡筒上部１５０とから構成されている。鏡筒基部１１０は、顕微鏡本体、あるいは顕微鏡の中間鏡筒への取り付けのための取付部１１２を有している。
【００２７】
鏡筒基部１１０は、図２〜図４に示されるように、第一の鏡筒上部１３０と組み合わされて双眼鏡筒を構成し、また、図５〜図７に示されるように、第二の鏡筒上部１５０と組み合わされて三眼鏡筒を構成する。
【００２８】
鏡筒基部１１０は、図１と図３と図６に示されるように、雌スライドアリ１１４を有し、第一の鏡筒上部１３０は、図１と図３に示されるように、鏡筒基部１１０の雌スライドアリ１１４に係合する雄スライドアリ１３４を有し、第二の鏡筒上部１５０は、図１と図６に示されるように、鏡筒基部１１０の雌スライドアリ１１４に係合する雄スライドアリ１５４を有している。
【００２９】
図１示されるように、鏡筒基部１１０は、上下位置基準面１１６と、側方位置基準面１１８とを有している。これに対応して、第一の鏡筒上部１３０は、上下位置基準面１１６に当て付けられる下側当て付け面１３６と、側方位置基準面１１８に当て付けられる側方当て付け面１３８とを有している。同様に、第二の鏡筒上部１５０も、上下位置基準面１１６に当て付けられる下側当て付け面１５６と、側方位置基準面１１８に当て付けられる側方当て付け面１５８とを有している。
【００３０】
鏡筒基部１１０と第一の鏡筒上部１３０は、図３に示されるように雌スライドアリ１１４と雄スライドアリ１３４を係合させることにより、互いにはめ合わされる。さらに、第一の鏡筒上部１３０は、下側当て付け面１３６が鏡筒基部１１０の上下位置基準面１１６に面で接触することにより上下位置が位置決めされ、図２に示されるように、側方当て付け面１３８が鏡筒基部１１０の側方位置基準面１１８に当て付けられることにより側方位置が位置決めされる。
【００３１】
同様に、鏡筒基部１１０と第二の鏡筒上部１５０は、図６に示されるように雌スライドアリ１１４と雄スライドアリ１５４を係合させることにより、互いにはめ合わされる。さらに、第二の鏡筒上部１５０は、下側当て付け面１５６が鏡筒基部１１０の上下位置基準面１１６に面で接触することにより上下位置が位置決めされ、図５に示されるように、側方当て付け面１５８が鏡筒基部１１０の側方位置基準面１１８に当て付けられることにより側方位置が位置決めされる。
【００３２】
鏡筒基部１１０は、図３と図６に示されるように、側面から雌スライドアリ１１４まで貫通する穴１２２を有し、穴１２２は雌スライドアリ１１４の近くにはネジ部を有している。そのネジ部には、固定ビス１２６が係合される。固定ビス１２６は、六角穴が形成された頭部１２８を有し、六角ドライバーを使用して締めたり緩めたりされ得る。
【００３３】
固定ビス１２６を締めることにより、固定ビス１２６の先端は、鏡筒基部１１０に取り付けられた第一の鏡筒上部１３０の雄スライドアリ１３４または第二の鏡筒上部１５０の雄スライドアリ１５４を押し付けられる。このため、第一の鏡筒上部１３０または第二の鏡筒上部１５０が固定される。
【００３４】
以下、図２〜図４を参照しながら、鏡筒基部１１０と第一の鏡筒上部１３０とにより構成される双眼鏡筒について説明する。
【００３５】
第一の鏡筒上部１３０は、次のようにして、鏡筒基部１１０に取り付けられる。図２と図３に示されるように、まず、第一の鏡筒上部１３０の雄スライドアリ１３４が鏡筒基部１１０の雌スライドアリ１１４にはめ合わされる。その際、第一の鏡筒上部１３０の下側当て付け面１３６が鏡筒基部１１０の上下位置基準面１１６に接触することで上下位置が位置決めされる。続いて、第一の鏡筒上部１３０の側方当て付け面１３８が鏡筒基部１１０の側方位置基準面１１８に当て付けられることで側方位置が位置決めされる。その後、固定ビス１２６を締めることにより、第一の鏡筒上部１３０が鏡筒基部１１０に固定される。
【００３６】
図４に示されるように、鏡筒基部１１０は反射ミラー１２０を有している。第一の鏡筒上部１３０は、鏡筒基部１１０が取り付けられる顕微鏡本体からの光束ＢＬを、常時、鏡筒基部１１０の反射ミラー１２０に向けて偏向する反射ミラー１４０を有している。
【００３７】
反射ミラー１４０は、第一の鏡筒上部１３０の内部に一定の姿勢で保持されており、第一の鏡筒上部１３０が鏡筒基部１１０に取り付けられた状態においては、顕微鏡本体からの光束ＢＬを、常時、鏡筒基部１１０の反射ミラー１２０に向けて偏向する。鏡筒基部１１０の反射ミラー１２０は、第一の鏡筒上部１３０の反射ミラー１４０からの光束を鏡筒基部１１０に取り付けられる接眼レンズ保持部１９０に向けて偏向する。
【００３８】
続いて、図５〜図７を参照しながら、鏡筒基部１１０と第二の鏡筒上部１５０とにより構成される三眼鏡筒について説明する。
【００３９】
第二の鏡筒上部１５０は、第一の鏡筒上部１３０と全く同様にして、鏡筒基部１１０に取り付けられる。すなわち、図５と図６に示されるように、まず、第二の鏡筒上部１５０の雄スライドアリ１５４が鏡筒基部１１０の雌スライドアリ１１４にはめ合わされる。その際、第二の鏡筒上部１５０の下側当て付け面１５６が鏡筒基部１１０の上下位置基準面１１６に接触することで上下位置が位置決めされる。続いて、第二の鏡筒上部１５０の側方当て付け面１５８が鏡筒基部１１０の側方位置基準面１１８に当て付けられることで側方位置が位置決めされる。その後、固定ビス１２６を締めることにより、第二の鏡筒上部１５０が鏡筒基部１１０に固定される。
【００４０】
図７に示されるように、第二の鏡筒上部１５０は、鏡筒基部１１０が取り付けられる顕微鏡本体からの光束ＢＬを、必要に応じて、鏡筒基部１１０の反射ミラー１２０に向けて偏向するための反射ミラー１６０を有している。反射ミラー１６０は、光路切替機構によって、適宜、実線で示されるように、光路上に配置され、また、想像線で示されるように、光路から外される。
【００４１】
図５〜図７に示されるように、光路切替機構は、反射ミラー１６０を支持するミラー座１６２と、ミラー座１６２が固定される軸１６４と、軸１６４に固定された切替レバー１６８とを有している。反射ミラー１６０はミラー座１６２に例えば接着によって固定されている。ミラー座１６２は、貫通穴を有しており、これに軸１６４が通され、セットビス１６６を締め付けることで、軸１６４に固定されている。
【００４２】
軸１６４は、図６に示されるように、第二の鏡筒上部１５０に形成された穴に収容されており、回転可能である。軸１６４の一方の端部は、第二の鏡筒上部１５０の側面から突出しており、切替レバー１６８が固定されている。軸１６４には、抜け止めのために、Ｅリング等が取り付けられている。
【００４３】
図７において、反射ミラー１６０を実線で示される位置に位置決めするため、第二の鏡筒上部１５０はミラー座１６２が当たる位置決め部１７２を有している。また、反射ミラー１６０を想像線で示される位置に位置決めするため、第二の鏡筒上部１５０はストッパー１７４を有し、第二の鏡筒上部１５０はストッパー１７４が当たる位置決め部１７６を有している。
【００４４】
第二の鏡筒上部１５０は、上方に開口しており、その上部には、カメラ等の光学機器を取り付けるための丸アリ１７８が設けられている。
【００４５】
図７において、反射ミラー１６０は、切替レバー１６８（図５参照）の回転に応じて、実線で示される位置と想像線で示される位置との間を移動される。
【００４６】
反射ミラー１６０は、実線で示される位置に配置された状態では、鏡筒基部１１０が取り付けられる顕微鏡本体からの光束ＢＬを鏡筒基部１１０の反射ミラー１２０に向けて偏向する。鏡筒基部１１０の反射ミラー１２０は、反射ミラー１６０からの光束ＢＬを鏡筒基部１１０に取り付けられる接眼レンズ保持部１９０に向けて偏向する。
【００４７】
また、反射ミラー１６０は、実線で示される位置に配置された状態では、鏡筒基部１１０が取り付けられる顕微鏡本体からの光束ＢＬの光路から外れている。このため、第二の鏡筒上部１５０は、顕微鏡本体からの光束ＢＬを、そのまま通過させ得る。従って、顕微鏡本体からの光束ＢＬは、第二の鏡筒上部１５０をそのまま通過し、丸アリ１７８に取り付けられた光学機器に入射し得る。
【００４８】
これまでの説明から分かるように、本実施形態の鏡筒システムにおいては、鏡筒基部１１０に取り付けられる鏡筒上部の種類を変えることにより、構成される鏡筒の種類を変えることが可能である。例えば、鏡筒基部１１０に取り付けられている第一の鏡筒上部１３０を第二の鏡筒上部１５０に交換することにより、双眼鏡筒を三眼鏡筒に変更することが可能である。あるいは、反対に、鏡筒基部１１０に取り付けられている第二の鏡筒上部１５０を第一の鏡筒上部１３０に交換することにより、三眼鏡筒を双眼鏡筒に変更することが可能である。
【００４９】
このように、双眼鏡筒においても三眼鏡筒においても鏡筒基部１１０は共通に使用されるため、少ない部品（すなわち第一の鏡筒上部１３０または第二の鏡筒上部１５０）の交換だけで、用途に合った鏡筒（すなわち双眼鏡筒または三眼鏡筒）を構成することが可能である。
【００５０】
本実施形態では、鏡筒上部が二種類ある例について説明したが、鏡筒上部は三種類以上あってもよい。つまり、本実施形態においては、鏡筒基部１１０は、複数種類の鏡筒上部と組み合わせ可能であり、組み合わされる鏡筒上部の種類に対応して、複数種類の鏡筒を構成し得る。
【００５１】
第二実施形態
本実施形態は、第一実施形態の鏡筒基部１１０と組み合わせ可能な三眼鏡筒用の別の鏡筒上部に向けられている。図８は、本発明の第二実施形態における三眼鏡筒の縦断面図である。
【００５２】
図８と図７とを比較して分かるように、本実施形態の鏡筒上部２５０は、光束を偏向するための光学素子と、その支持構造との点において、第一実施形態の第二の鏡筒上部１５０を相違している。従って、本実施形態の鏡筒上部２５０は、鏡筒基部１１０への取り付け構造（雄スライドアリ他）や、カメラ等の光学機器の取り付け構造（丸アリ他）などは、第一実施形態の第二の鏡筒上部１５０と同様である。
【００５３】
図８に示されるように、本実施形態の鏡筒上部２５０は、鏡筒基部１１０が取り付けられる顕微鏡本体からの光束ＢＬを、部分的に、鏡筒基部１１０の反射ミラー１２０に向けて偏向するハーフミラー２６０を有している。ハーフミラー２６０は、鏡筒上部２５０の内部に例えば接着により固定されている。鏡筒上部２５０は、第一実施形態の第二の鏡筒上部１５０と同様に、上方に開口しており、その上部には、カメラ等の光学機器を取り付けるための丸アリ１７８が設けられている。
【００５４】
ハーフミラー２６０は、鏡筒基部１１０が取り付けられる顕微鏡本体からの光束ＢＬを部分的に鏡筒基部１１０の反射ミラー１２０に向けて偏向する。鏡筒基部１１０の反射ミラー１２０は、ハーフミラー２６０からの光束を鏡筒基部１１０に取り付けられる接眼レンズ保持部１９０に向けて偏向する。
【００５５】
また、ハーフミラー２６０は、鏡筒基部１１０が取り付けられる顕微鏡本体からの光束を部分的に透過する。ハーフミラー２６０を透過した光束は、鏡筒上部２５０をそのまま通過し、丸アリ１７８に取り付けられた光学機器に入射し得る。
【００５６】
本実施形態の鏡筒上部２５０は、光路切替機構を有しておらず、構造が簡単なため、第一実施形態の第二の鏡筒上部１５０と比較して、より安価に構成し得る。従って、三眼鏡筒をより安価に構成することが可能である。
【００５７】
また、本実施形態の鏡筒上部２５０は、ハーフミラー２６０の透過率（あるいは反射率）の違いによる複数の種類が用意されてもよい。つまり、用途に応じて、適切な透過率（あるいは反射率）を有する鏡筒上部が選択される鏡筒システムとしてもよい。
【００５８】
第三実施形態
本実施形態は、別の鏡筒システムに向けられている。図９は、本発明の第三実施形態の鏡筒システムの構成を示している。図１０は、図９に示される鏡筒システムに従う双眼鏡筒の外観図である。
【００５９】
本実施形態の鏡筒システムは、図９に示されるように、接眼レンズ保持部１９０を保持し得る鏡筒基部３１０と、鏡筒基部３１０に着脱可能な第一の鏡筒上部３３０と、鏡筒基部３１０に着脱可能な第二の鏡筒上部３５０とから構成されている。
【００６０】
鏡筒基部３１０は、第一の鏡筒上部３３０と組み合わされて双眼鏡筒を構成し、第二の鏡筒上部３５０と組み合わされて三眼鏡筒を構成する。
【００６１】
鏡筒基部３１０は、上下位置基準面３１６と、側方位置基準面３１８とを有している。これに対応して、第一の鏡筒上部３３０は、上下位置基準面３１６に当て付けられる下側当て付け面３３６と、側方位置基準面３１８に当て付けられる側方当て付け面３３８とを有している。同様に、第二の鏡筒上部３５０も、上下位置基準面３１６に当て付けられる下側当て付け面３５６と、側方位置基準面３１８に当て付けられる側方当て付け面３５８とを有している。
【００６２】
鏡筒基部３１０は、上下位置基準面３１６から下方に延びるネジ穴３２２を有している。これに伴い、第一の鏡筒上部３３０は、対応する位置に、段差を有するザグリ穴３４６を有している。同様に、第二の鏡筒上部３５０も、対応する位置に、段差を有するザグリ穴３６６を有している。
【００６３】
図１０に示されるように、第一の鏡筒上部３３０は、側方当て付け面３３８を鏡筒基部３１０の側方位置基準面３１８に当て付けて、鏡筒基部３１０の上下位置基準面３１６の上に置かれた際に、ザグリ穴３４６が鏡筒基部３１０のネジ穴３２２に揃う。この状態で、固定ネジ３２６を、ザグリ穴３４６に通して、鏡筒基部３１０のネジ穴３２２と係合させ、締めることにより、第一の鏡筒上部３３０が、位置決めされ、鏡筒基部３１０に固定される。
【００６４】
第二の鏡筒上部３５０も、全く同様にして、位置決めされ、鏡筒基部３１０に固定される。
【００６５】
図１０に示されるように、第一の鏡筒上部３３０は反射ミラー３４０を有し、鏡筒基部３１０は反射ミラー３２０を有している。第一の鏡筒上部３３０の反射ミラー３４０は、鏡筒基部３１０が取り付けられる顕微鏡本体からの光束ＢＬを鏡筒基部３１０の反射ミラー３２０に向けて偏向する。鏡筒基部３１０の反射ミラー３２０は、反射ミラー３４０からの光束を、鏡筒基部３１０に取り付けられる接眼レンズ保持部１９０に向けて偏向する。
【００６６】
第二の鏡筒上部３５０は、図示されていないが、鏡筒基部３１０が取り付けられる顕微鏡本体からの光束ＢＬを、必要に応じて、鏡筒基部３１０の反射ミラー３２０に向けて偏向する反射ミラーを有している。この反射ミラーは、第一実施形態の第二の鏡筒上部１５０の光路切替機構と全く同じ光路切替機構によって、適宜、光路上に配置され、また、光路から外される。
【００６７】
本実施形態の鏡筒システムは、鏡筒基部３１０と、これに取り付けられる鏡筒上部３３０と３５０とが、雄スライドアリと雌雄スライドアリから成るはめ合い構造を持たないため、第一実施形態と比較して、より安価に構成され得る。
【００６８】
本実施形態においても、第一実施形態と同様に、鏡筒上部は、二種類に限定されるものではなく、三種類以上あってもよい。
【００６９】
これまで、図面を参照しながら本発明の実施の形態を述べたが、本発明は、これらの実施の形態に限定されるものではなく、その要旨を逸脱しない範囲において様々な変形や変更が施されてもよい。
【００７０】
【発明の効果】
本発明によれば、少ない部品交換で複数の種類の鏡筒を構成し得る鏡筒システムが提供される。
【図面の簡単な説明】
【図１】本発明の第一実施形態の鏡筒システムの構成を示している。
【図２】図１に示される鏡筒システムに従う双眼鏡筒の外観図である。
【図３】図２に示される双眼鏡筒を右方から見た外観図である。
【図４】図２に示される双眼鏡筒の縦断面図である。
【図５】図１に示される鏡筒システムに従う三眼鏡筒の外観図である。
【図６】図５に示される三眼鏡筒を右方から見た外観図である。
【図７】図５に示される三眼鏡筒の縦断面図である。
【図８】本発明の第二実施形態における三眼鏡筒の縦断面図である。
【図９】本発明の第三実施形態の鏡筒システムの構成を示している。
【図１０】図９に示される鏡筒システムに従う双眼鏡筒の外観図である。
【符号の説明】
１１０…鏡筒基部、１１４…雌スライドアリ、１１６…上下位置基準面、１１８…側方位置基準面、１２０…反射ミラー、１２６…固定ビス、１３０…第一の鏡筒上部、１３４…雄スライドアリ、１３６…下側当て付け面、１３８…側方当て付け面、１４０…反射ミラー、１５０…第二の鏡筒上部、１５４…雄スライドアリ、１５６…下側当て付け面、１５８…側方当て付け面、１６０…反射ミラー、１６２…ミラー座、１６４…軸、１６８…切替レバー、１７２…位置決め部、１７４…ストッパー、１７６…位置決め部、１７８…丸アリ、２５０…鏡筒上部、２６０…ハーフミラー、３１０…鏡筒基部、３１６…上下位置基準面、３１８…側方位置基準面、３２０…反射ミラー、３２２…ネジ穴、３２６…固定ネジ、３３０…第一の鏡筒上部、３３６…下側当て付け面、３３８…側方当て付け面、３４０…反射ミラー、３４６…ザグリ穴、３５０…鏡筒上部、３５６…下側当て付け面、３５８…側方当て付け面、３６６…ザグリ穴。
【図１】
2005010365.tif 000003
【図２】
2005010365.tif 000004
【図３】
2005010365.tif 000005
【図４】
2005010365.tif 000006
【図５】
2005010365.tif 000007
【図６】
2005010365.tif 000008
【図７】
2005010365.tif 000009
【図８】
2005010365.tif 000010
【図９】
2005010365.tif 000011
【図１０】
2005010365.tif 000012